(57)【要約】【課題】持ち運ぶキャンバスの大きさに関わりなく、また、同サイズのもう一つのキャンバスを必要とすることのない、手軽で安定かつ安全にキャンバスを運搬・収納することができるキャンバスキャップの提供を図る。【解決手段】キャンバスを運搬・収納するためのキャンバスキャップであって、キャンバスの大きさに応じて底面を開放した箱状に成形された本体の上面内壁所定箇所に、木あるいは合成樹脂等からなる少なくとも２以上の緩衝片を設けた構造を採用する。【選択図】図１
2007275373.tif 000002
【特許請求の範囲】
【請求項１】
キャンバスを運搬・収納するためのキャンバスキャップであって、キャンバスの大きさに応じて底面を開放した箱状に成形された本体の上面内壁所定箇所に少なくとも２以上の緩衝片を設けたことを特徴とするキャンバスキャップ。
【請求項２】
前記緩衝片が、木あるいは合成樹脂からなることを特徴とする請求項１に記載のキャンバスキャップ。
【請求項３】
前記本体の側面内壁に、弾性材料で成形された四角辺状のクッション枠体を取り付けたことを特徴とする請求項１または請求項２に記載のキャンバスキャップ。
【請求項４】
前記弾性材料が、発泡樹脂であることを特徴とする請求項２に記載のキャンバスキャップ。
【請求項５】
前記本体の側面外壁所定箇所にベルト取付機構を設けるとともに、キャンバスの脱落を防止するための結束ベルトあるいは運搬用の肩掛けベルトが該ベルト取付機構を介して着脱可能であること特徴とする請求項１から請求項４のいずれかに記載のキャンバスキャップ。
【請求項６】
前記本体の側面開放縁にカバーを備えたことを特徴とする請求項１から請求項５のいずれかに記載のキャンバスキャップ。
【発明の詳細な説明】
【技術分野】
【０００１】
本発明は、キャンバスを運搬・収納するためのキャンバスキャップに関し、特に、描画途中あるいは描画終了後のキャンバスを運搬・収納するためのキャンバスキャップに関するものである。
【背景技術】
【０００２】
これまで人類は、絵画を運搬・収納するための梱包に全く注意を払わなかったために、多くの名画を傷つけ、または、紛失し、取り返しのつかない多くの人類の財産を失ってきている。すなわち、従来から行われてきたキャンバスの運搬手段として、特に描画途中あるいは描画終了後のキャンバスにおける絵画面を損傷しないように、キャンパスクリップやスライドクリップホルダー、中間コマ等で、同サイズのキャンバスの両面を対向させて絵画面が密着しないようにして運搬するのが一般的であった。
【０００３】
しかしながら、上記運搬手段は、運搬すべきキャンバスと同サイズのキャンバスをもう一つ常に必要とするものであったため、同サイズの未使用キャンバス等を運搬用として準備せざるをえなかった。また、１０号以上の比較的大きいサイズのキャンバス二つを長時間に渡って持ち歩くことは、女性や年配者にとって容易ではなかった。
【０００４】
特に、主な展覧会等で採用されている１００号サイズのキャンバスともなると、それを上記運搬手段により運搬するのは困難であったため、その運搬については業者に依頼せざるを得ず、そのため運搬費用がどうしても必要となっていた。また、かかる運搬に際しては、事前にキャンバスを梱包する必要があり、そのため梱包費用が必要となってしまうばかりか、キャンバスを梱包から解いた後は、梱包材料がゴミとして廃棄されることとなり、無駄な資源利用を繰り返してきた。
【０００５】
そこで、上記手段を利用した手提げカバン仕様の把手とスペーサークリップを使用した「キャンバス運搬具」（特許文献１参照）が提案されている。しかしながら該提案は、片手で取っ手を把持する仕様のため、取っ手から地面までの距離に制約が加わり、したがってキャンバスの大きさが８号以下の比較的小さいサイズのものに限定されてしまうものであった。
【０００６】
【特許文献１】特許公開２００１−２８７７６８号公報
【発明の開示】
【発明が解決しようとする課題】
【０００７】
本発明は、かかる問題点に鑑み、持ち運ぶキャンバスの大きさに関わりなく、また、同サイズのもう一つのキャンバスを必要とすることのない、手軽で安定かつ安全にキャンバスを運搬・収納することができるキャンバスキャップを提供することを目的とするものである。
【課題を解決するための手段】
【０００８】
前記目的を達成するため、本発明は、キャンバスを運搬・収納するためのキャンバスキャップであって、キャンバスの大きさに応じて底面を開放した箱状に成形された本体の上面内壁所定箇所に、木あるいは合成樹脂等からなる少なくとも２以上の緩衝片を設けた構造を採用している。
【０００９】
また、本発明は、前記本体の側面内壁に、発泡樹脂等からなる弾性材料で成形された四角辺状のクッション枠体を取り付けた構造とすることができる。
【００１０】
さらに、本発明は、前記本体の側面外壁所定箇所にベルト取付機構を設けるとともに、キャンバスの脱落を防止するための結束ベルトあるいは運搬用の肩掛けベルトが該ベルト取付機構を介して着脱可能である構造を採ることができる。
【００１１】
またさらに、本発明は、前記本体の側面開放縁にカバーを備えた構造を採用することもできる。
【発明の効果】
【００１２】
本発明にかかるキャンバスキャップによれば、簡単な構造でありながら、絵画を損傷することなく確実にキャンバスを保護することが可能であって、手軽で安定かつ安全にキャンバスの収納・運搬を可能にするものである。特に、このキャンバスキャップは、キャンバスに嵌め込むだけで外界からの衝撃や雨等の天候から絵画を守ることができ、また、一目で絵画であるとわかるため、紛失を避けることができるとともに、かけがえのない名画等の美術絵画を傷つけることなく後世に伝えることができ、文化財の保護に資するものである。
【００１３】
また、本発明にかかるキャンバスキャップによれば、従来のような梱包作業を必要としないだけでなく、繰り返し使用することが可能であって、資源の無駄使いを無くするものである。なおかつ、軽量であるため、１００号クラスの大きいキャンバスであっても、女性にも楽に持ち運びすることが可能であり、運搬費用の削減に資する効果も奏する。
【００１４】
さらに、本発明にかかるキャンバスキャップによれば、本体の側面内壁に発泡樹脂等からなる弾性材料で成形された四角辺状のクッション枠体を取り付けることで、キャンバス全体が側方から嵌め込む様に狭持され、キャンバスの収納・係止手段と落下時の衝撃保護手段の両方を兼ね備える効果を奏する。
【００１５】
そしてまた、本発明にかかるキャンバスキャップによれば、本体の側面外壁所定箇所にベルト取付機構を設けるとともに、結束ベルトや肩掛けベルトが該ベルト取付機構を介して着脱可能である構造とすることで、キャンバスの脱落を防止するとともに、運搬性の向上にも資する効果を有する。
【発明を実施するための最良の形態】
【００１６】
本発明は、キャンバスを運搬・収納するためのキャンバスキャップ、特に描画途中あるいは描画終了後のキャンバスを運搬・収納するためのキャンバスキャップであって、キャンバスを確実に保護しつつ、その収納性・運搬性を飛躍的に向上させるべく、キャンバスの大きさに応じて底面を開放した箱状に成形された本体の上面内壁所定箇所に少なくとも２以上の緩衝片を設けた構造としたことを最大の特徴とする。以下、本発明にかかるキャンバスキャップの実施形態を、図面に基づいて説明する。
【００１７】
図１は、本発明にかかるキャンバスキャップ１の第一の実施形態を示す斜視図である。該キャンバスキャップ１は、本体２と緩衝片３とから構成されている。本体２は、キャンバスＣの大きさに応じて底面を開放した箱状に成形される。そして、該本体２の上面内壁所定箇所に、少なくとも２以上の緩衝片３が設けられている。
【００１８】
本体２の材質については、特に限定はないが、運搬性等を考慮すると、樹脂等の軽量な材質であることが望ましい。例えば、該本体２の素材として、絵の具や汚れが付着しにくい、水洗いが容易である、衝撃強度が高い、屈折疲労に強い、型枠成型が容易である、材料コストが安い、量産化が可能であるなどの多くの特性を持つ熱可塑性樹脂のポリプロピレンの使用が考え得る。また、該ポリプロピレンをプラスチックダンボール化したもの（通称プラダン）により本体２を成形することで、さらなるコストダウンや軽量化、柔軟性及び強度ＵＰを図ることができ、より効果的で望ましい。
【００１９】
上記本体２の上面内壁への緩衝片３を設ける位置については、キャンバスＣに描かれた絵画への影響を最小限にすべく、隅の方に設けることが望ましく、また、該緩衝片３の大きさについても、同様に絵画への影響が少ない大きさとする。そして、該緩衝片３の厚みについては、本体２の上面が自重で撓んだ場合であっても、キャンバスＣの絵画面が本体２上面内壁に接触しない程度の厚みを有すればよい。また、緩衝片３の材質については、特に限定するものではないが、木や合成樹脂等が考えられる。なお、緩衝片３を、本体２と同素材で一体成形することも考えられる。
【００２０】
図２は、本発明にかかるキャンバスキャップ１の第二の実施形態を示す斜視図である。該キャンバスキャップ１は、上記第一の実施形態にかかる本体２の側面内壁に、クッション枠体４を取り付けた構造となっている。該クッション枠体４は、その素材として発泡樹脂等の弾性材料が使用され、本体２の側面内壁を一周するように四角辺状に成形されている。クッション枠体４を取り付けることにより、キャンバスキャップ１にキャンバスＣ全体が側方から嵌め込む様に狭持され、キャンバスＣの収納・係止手段と落下時の衝撃保護手段の両方を兼ね備える効果を有することとなる。
【００２１】
図３は、本発明にかかるキャンバスキャップ１の第三の実施形態を示す斜視図である。該キャンバスキャップ１は、上記第一並びに第二の実施形態にかかる本体２の側面外壁所定箇所に、ベルト取付機構５を設けた構造となっており、キャンバスＣの脱落を防止するための結束ベルト６あるいは運搬用の肩掛けベルト７が該ベルト取付機構５を介して着脱可能である構造を採用している。
【００２２】
本体２におけるベルト取付機構５を設ける位置については、結束ベルト６を取り付けるためのベルト取付機構５である場合、キャンバスＣの脱落を防止することが可能であれば特に限定はなく、例えば、対向する本体２側面外壁の中間所定箇所に夫々設けたり、対角上に側面外壁の角に設けることなどが考え得る。また、肩掛けベルト７を取り付けるためのベルト取付機構５である場合には、運搬性を考慮して、本体２の一側面外壁両端部に夫々設けることなどが考え得る。そして、本体２における該ベルト取付機構５の数については、キャンバスキャップ１の大きさ等を考慮して決定されるが、一のベルト取付機構５と他のベルト取付機構５とを結束ベルト６あるいは肩掛けベルト７で繋ぐ必要上、少なくとも二箇所以上に設けられることとなる。
【００２３】
ベルト取付機構５の構造、並びに、結束ベルト６及び肩掛けベルト７のベルト取付機構５への取付構造については、特に限定するものではなく、それらの取付方法によって決定されることとなる。例えば、図面に示すように、ベルト取付機構５を角型アーチ状とするとともに、両ベルトの端部に舌片型留め具を配することで、該ベルト取付機構５へ各ベルトを取り付ける方法が考えられる。また、その他にも、ベルト取付機構５として雌型スナップボタンを配し、両ベルトの端部に雄型スナップボタンを配することによる取付方法なども考え得る。
【００２４】
なお、結束ベルト６の材質としては、キャンバスＣの脱落を防止するという性質上、伸縮自在なゴム等が望ましく、また、その形状については、一本の帯状のベルトとしたり、あるいは、図面に示すように、複数本の帯状のベルトをあらかじめ格子状に組ませたものとすることも可能である。
【００２５】
また、肩掛けベルト７の材質としては、運搬性を考慮すると、あまり伸縮性を備えない素材であることが望ましく、その形状については、基本的に一本の帯状のベルトで構成される。なお、該ベルトの中間位置に肩当てパッドを装備することも有効である。
【００２６】
図４は、上記の通り構成された本発明にかかるキャンバスキャップ１の使用状態を示す断面図であり、詳しくは、該キャンバスキャップ１をキャンバスＣに被せた状態を示している。図面に示すように、キャンバスＣに被せられた本体２の上面内壁とキャンバスＣの絵画面との間に、緩衝片３の存在により空間が形成され、その絵画面を有効に保護することが可能となる。なお、図面では、本体２の側面内壁に、クッション枠体４を取り付けた構造を採用した場合を示している。該クッション枠体４の存在により、キャンバスキャップ１の本体２にキャンバスＣ全体が側方から嵌め込む様に狭持されることとなる。
【００２７】
図５は、本発明にかかるキャンバスキャップ１を使用した運搬状態を示す説明図であり、図５（ａ）は車輌による運搬状態、図５（ｂ）は人手による運搬状態を示している。車内に収納できないくらいの比較的大きいサイズのキャンバスＣを車輌で運搬する場合には、図５（ａ）に示すように、車輌に取り付けられたキャリアの上に固定する等により運搬される。このとき、本発明にかかるキャンバスキャップ１が上方からキャンバスＣを被覆している状態で車輌に固定する。そうすることにより、雨や埃等の外界からの影響を受けることなく、キャンバスＣを有効に保護することが可能となる。また、ある程度の大きさまでのキャンバスＣは、人手によっても運搬可能であり、図５（ｂ）に示すように、肩掛けベルト７を装着した仕様によって、その運搬性の向上を図ることができる。
【００２８】
なお、かかる運搬に際するキャンバスＣとキャンバスキャップ１との結束方法については、上記第二の実施形態にかかるクッション枠体４によるキャンバスＣを挟持する方法や上記第三の実施形態にかかる結束ベルト６による方法のほか、単にゴムバンド等の伸縮性を有する結束具による方法等により行われる。
【産業上の利用可能性】
【００２９】
本発明は、キャンバスＣを確実に保護しつつ運搬及び収納すべく、キャンバスＣそれ自体のキャップの実施形態として提案しているが、大きさは適宜選択・決定することが可能であるため、キャンバスＣだけでなく該キャンバスＣが納められた額縁全体のキャップとしての実施形態も可能であり、産業上の利用可能性は大である。
【図面の簡単な説明】
【００３０】
【図１】本発明にかかるキャンバスキャップの第一の実施形態を示す斜視図である。
【図２】本発明にかかるキャンバスキャップの第二の実施形態を示す斜視図である。
【図３】本発明にかかるキャンバスキャップの第三の実施形態を示す斜視図である。
【図４】本発明にかかるキャンバスキャップの使用状態を示す断面図である。
【図５】本発明にかかるキャンバスキャップ１を使用した運搬状態を示す説明図である。
【符号の説明】
【００３１】
１  キャンバスキャップ
２  本体
３  緩衝片
４  クッション枠体
５  ベルト取付機構
６  結束ベルト
７  肩掛けベルト
Ｃ  キャンバス
【図１】
2007275373.tif 000003
【図２】
2007275373.tif 000004
【図３】
2007275373.tif 000005
【図４】
2007275373.tif 000006
【図５】
2007275373.tif 000007